(57)【要約】【課題】竪樋に取り付けた雨水取出継手に並設した雨水取水体に複数の雨水取出筒を設け、ホースを介して、同時にまたは順番に複数個の貯水槽に取水を貯留できるようにした雨水取水装置を提供すること。【解決手段】本願発明の雨水取水装置は、上下の竪樋Ｔ、Ｔを接続する竪樋継手本体１に雨水取水体２を並設し、該雨水取水体２に設けられた雨水取出筒２１から雨水を取り出すようにした雨水取出継手３において、雨水取水体２に複数の雨水取出筒２１、２１を設け、同時にあるいは順番に複数の貯水槽５、５に雨水を取水できることを特徴とするものである。好ましくは、雨水取水体２を竪樋継手本体１の左右に設け、それぞれの雨水取水体２に雨水取出筒２１を設ける。【選択図】図１
2009127276.tif 000002
【特許請求の範囲】
【請求項１】
上下の竪樋を接続する竪樋継手本体に雨水取水体を並設し、該雨水取水体に設けられた雨水取出筒から雨水を取り出すようにした雨水取出継手において、雨水取水体に複数の雨水取出筒を設けたことを特徴とする雨水取水装置。
【請求項２】
上記雨水取水体を竪樋継手本体の左右に設け、それぞれの雨水取水体に雨水取出筒を設けたことを特徴とする請求項１記載の雨水取水装置。
【請求項３】
上記それぞれの雨水取水筒にキャップを着脱自在に装着するとともに、該雨水取出筒には貯水槽に連結されたホースとキャップとを選択的に装着できるようにした請求項１記載の雨水取水装置。
【請求項４】
上記左右の雨水取水体が、ハの字形の位置関係になるようにしたことを特徴とする請求項２記載の雨水取水装置。
【発明の詳細な説明】
【技術分野】
【０００１】
本願発明は、竪樋を伝って流下する雨水を途中で竪樋外部に取り出して利用できる雨水取水装置に関するものである。
【背景技術】
【０００２】
通常家屋の屋根縁に取り付けられた軒樋に集められた雨水は、軒樋から垂直方向に沿って設けられた竪樋を通って下水等に排出される。一般に、庭の植木や草花などに散水する場合、あるいは洗車用の水などは雨水でも利用できるものであるが、多くは飲料用の水道水などが用いられており、水道水の浪費につながり、水資源の確保の点からも好ましいものではなかった。
【０００３】
雨水を取水する手段として竪樋を直接貯水槽に差し込んで集める方法が主流であり貯水するための貯水槽の容量も１００リットルないし２００リットルといった大きなものであった。
【０００４】
しかしこのような大型の貯水槽を設置することが困難な一般の住宅では、簡単に雨水の利用が図れる小型の雨水取水装置が要望されており、一般家庭で利用するにはコストも安価なものが求められている。そのため各種の雨水取水装置が提案されている。また洗車や散水の場所が異なる場合、使用場所の近くに貯水槽があると取水された雨水の持運び等の必要が減少し、便利になる。
【０００５】
特開２００１−１９３２３６号公報に示されている雨水貯留用継手は、外筒部と内筒部とからなり、上端部および下端部に竪樋接続部が設けられ、外筒部の上端が水上の竪樋に、内筒部の下端が水下の竪樋にそれぞれ連通するように構成されており、外筒部と内筒部との間隙部に浸透部材が詰め込まれ、該浸透部材と外筒部下方に設けた雨水取出筒とが連通するように形成されている。しかしこの構成においては浸透部材の取替え洗浄等が面倒であった。
【特許文献１】特開２００１−１９３２３６号公報
【発明の開示】
【発明が解決しようとする課題】
【０００６】
しかしながら、上記従来例であるこれらの雨水取水装置はいずれも竪樋から取水した雨水をホースを介して貯水槽に送水するものであり、竪樋と貯水槽とは設置場所や時期が異なり、かつ雨水取水体と貯水槽とはホースを介して送水されるために、雨水取水体と貯水槽とに接続できる特定のホースしか使用できない場合が多かった。
【０００７】
また、複数の貯水槽が設置されている場合、貯留する貯水槽ごとに、ホースの付け替えを行わなければならず、その作業が面倒であった。
【０００８】
本願発明は、上記背景技術に鑑みてなしたものであり、その目的は、竪樋に取り付けた雨水取出継手に並設した雨水取水体に複数の雨水取出筒を設け、同時にまたは順番に複数個の貯水槽に取水を貯留できるようにした雨水取水装置を提供することにある。
【課題を解決するための手段】
【０００９】
上記課題を解決するために、本願請求項１記載の発明に係る雨水取水装置は、上下の竪樋を接続する竪樋継手本体に雨水取水体を並設し、該雨水取水体に設けられた雨水取出筒から雨水を取り出すようにした雨水取出継手において、該雨水取水体に複数の雨水取出筒を設けたことを特徴としている。
【００１０】
本願請求項２記載の発明は、請求項１記載の雨水取水装置において、上記雨水取水体を竪樋継手本体の左右に設け、それぞれの雨水取水体に雨水取出筒を設けたことを特徴としている。
【００１１】
本願請求項３記載の発明は、請求項１記載の雨水取水装置において、上記それぞれの雨水取水筒にキャップを着脱自在に装着するとともに、該雨水取出筒には貯水槽に連結されたホースとキャップとを選択的に装着できるようにしたことを特徴としている。
【００１２】
本願請求項４記載の発明は、請求項２記載の雨水取水装置において、上記左右の雨水取水体が、ハの字形の位置関係になるようにしたことを特徴としている。
【発明の効果】
【００１３】
本願請求項１記載の発明に係る雨水取水装置は、上記のとおりであり、特に、竪樋継手本体に並設された雨水取水体に複数の雨水取出筒を設けたから、同時に複数個の貯水槽に雨水を貯留でき、効率的に取水できる。したがって設置場所の異なる複数の貯水槽に同時に取水でき、また、貯水槽が一個の場合に比較して、複数の貯水槽に取水する場合貯留された水の使用に際し貯留水の使用場所への運搬距離を少なくすることができる。
【００１４】
本願請求項２記載の発明に係る雨水取水装置においては、特に、上記雨水取水体を竪樋継手本体の左右に設け、それぞれの雨水取水体に雨水取出筒を設けたから、一個の雨水取水体に複数個の雨水取出筒を設ける場合に比較して、雨水取出筒の内径を大きくすることができ、効率的に取水できる。
【００１５】
本願請求項３記載の発明に係る雨水取水装置においては、特に、それぞれの雨水取水筒にキャップを着脱自在に装着するとともに、該雨水取出筒には貯水槽に連結されたホースとキャップとを選択的に装着できるようにしたから、一個の貯水槽にのみに取水するときは、残りの雨水取出筒にキャップで栓をすることにより取水された雨水の無駄な垂れ流しを防止できる。しかも、残りの雨水取出筒を使用するときは該雨水取出筒からキャップを外しホースを接続するのみでよく、既に使用しているホースを雨水取出筒から外す必要がない。
【００１６】
本願請求項４記載の発明に係る雨水取水装置においては、特に、上記左右の雨水取水体が、ハの字形の位置関係になっているから、竪樋継手本体を竪樋に取り付けるとき、それぞれの雨水取水体のいずれも竪樋を支持した壁面から少し離れた位置に設置させることができる。したがって、ホースの各雨水取出筒への接続作業時やキャップの着脱時に十分な作業スペースを確保でき、その接続作業やキャップの着脱を円滑に行うことができる。さらにホースの接続時やキャップの着脱時に誤って該竪樋支持壁を傷つけることが少なくなり、また該ホース接続部に水漏れがあった場合でも竪樋支持壁を傷めることが少ないものである。
【発明を実施するための最良の形態】
【００１７】
以下、本願発明の雨水取水装置について図面を参照して詳細に説明する。図１は、本願発明の第１の実施形態である雨水取水装置の使用状態を示す説明図、図２は上記実施形態における雨水取出継手の側面図、図３は上記実施形態における雨水取出継手を竪樋に取り付けたときの状態を示す断面図である。同図において、３は竪樋継手本体１に雨水取水体２を並設した雨水取出継手であり、竪樋継手本体１は上下の竪樋Ｔ、Ｔ間に装着され、雨水取水体２の下面に形成した雨水取出筒２１、２１と貯水槽５、５との間はホース６、６で連通している。
【００１８】
図２は雨水取出継手３の外形を示してしており、本願発明の雨水取出継手３は竪樋継手本体１の左右の外側方に雨水取水体２、２が一体的に形成され、各雨水取水体２、２の下方には雨水取出筒２１、２１が下方に突出するように設けられている。雨水取出筒２１はその口径が先端に行くに従い３段階的に変化している。図２に示すようにその口径はａ＜b＜ｃとなっている。
【００１９】
その結果、水上側の筒部の口径に対し中間部および水下側の筒部とは順次口径が細くなっている。したがって雨水取出筒２１には３種類の口径のホース６を接続できる。ホース６の他端は貯水槽５の受水口に接続されるが３種類の口径のホース６が使用できるため、各家庭に備えられているホース６は大抵の場合雨水取出筒２１と貯水槽５とに適応できる。
【００２０】
図１に示した実施例では口径の最も小さい水下側の筒部にホース６が接続されている状態を示している。口径の大きいホース６を水上側の筒部に接続するときには、口径の小さい中間部および水下側筒部は該ホース６内に入り込んでホース接続時のガイドの役を果たす。
【００２１】
図３に示した断面図は、本願発明の雨水取水装置の一例を示すものである。雨水取出継手３を構成する竪樋継手本体１は外筒部８と内筒部９とからなりその上端部と下端部には竪樋Ｔとの接合部が設けられ、外筒部８の上端が水上の竪樋Ｔに、内筒部９の下端が水下の竪樋Ｔにそれぞれ連通するように構成されている。
【００２２】
この外筒部８と内筒部９とにより雨水貯留部１０が形成されており、外筒部８には取水管路口１１が設けられ、取水管路口１１の下縁部は内筒部９の上端部より下方に位置している。本願発明の雨水取水装置は竪樋継手本体１とその外方に並設された雨水取水体２、２とで形成される雨水取出継手３が主要部材となっている。
【００２３】
雨水取水体２内は雨水取出筒２１の上部にフィルター７がありその上部にはフィルター７を取出し可能にするための蓋部１２が形成されている。従って蓋部１２を開けてフィルター７を取出すことによりその洗浄や取替えを容易にできる。雨水は上部の竪樋Ｔから竪樋継手本体１に入り取水管路口１１を経て雨水取水体２に入りフィルター７によりゴミ等が除去され雨水取出筒２１に流れる。
【００２４】
本願発明は上記構成であり、特に１個の貯水槽５のみに取水するときは、他の雨水取出筒２１にキャップ４で栓をすることにより、取水の無駄な垂れ流しを防止できる。このキャップ４を取り外しホースを接続すれば他の貯水槽にも同時に取水できる。このとき既に取水しているホース４を雨水取出筒２１から取り外す必要はない。キャップ４は例えばねじ込み式にすることで、キャップ４の脱落を防止できる。
【００２５】
又取水していない雨水取出筒２１にキャップ４で栓をしておけば、該雨水取出筒２１にはホース６を接続しないから、取水していない雨水取出筒２１にホース６を接続しっ放しにする場合に比較して、雨水取水装置の周りがすっきりとした状態となる。
【００２６】
図４は本願発明の第２の実施形態における雨水取出継手３の底面図である。この実施の形態においては、上記竪樋継手本体１に左右の雨水取水体２、２を並設し、上記左右の雨水取水体２、２がハの字形の位置関係になるようにしている。竪樋Ｔは通常家屋壁面に支持されて取付けられるから、本願の雨水取水装置の竪樋継手本体１を竪樋Ｔに取り付けるとき、上記ハの字形に位置させた雨水取水体２、２のいずれも竪樋Ｔを支持した壁面から少し離れた位置に設置されることができ、ホース６の各雨水取出筒２１との接続作業時に十分な作業スペースを確保でき、その接続作業を円滑に行うことができる。又、キャップ４の着脱が容易にできる。
【００２７】
更に各雨水取出筒２１、２１は竪樋支持壁からある程度離間しているから、雨水取出筒２１に対するホース６の接続時やキャップ４の着脱時に工具等で誤って竪樋支持壁を傷つけることが少なく、また該ホース接続部に水漏れがあった場合でも竪樋支持壁を傷めることが少ないものである。
【００２８】
以上説明したように、本願発明の雨水取水装置の最大の特徴は、竪樋継手本体１に並設した雨水取出体２に複数の雨水取出筒２１を設けたことであり、その結果同時に複数個の貯水槽に雨水を貯留でき、あるいは順番に貯留できることにある。
【図面の簡単な説明】
【００２９】
【図１】本願発明の第１の実施例形態である雨水取水装置の使用状態を示す説明図である。
【図２】第一の実施形態における雨水取出継手の側面図である。
【図３】第１の実施形態における雨水取出継手を竪樋に取り付け、一方の雨水取出筒にキャップを付けたときの状態を示す断面図である。
【図４】本願発明の第２の実施形態における取出継手の底面図である。
【符号の説明】
【００３０】
Ｔ      竪樋
１      竪樋継手本体
２      雨水取水体
２１    雨水取出筒
２２    回動フランジ
３      雨水取出継手
４      キャップ
５      貯水槽
６      ホース
７      フィルター
８      外筒部
９      内筒部
１０    雨水貯留部
１１    取水管路口
１２    蓋部
【図１】
2009127276.tif 000003
【図２】
2009127276.tif 000004
【図３】
2009127276.tif 000005
【図４】
2009127276.tif 000006